(57)【特許請求の範囲】
【請求項１】
用紙を前に送り出す前送りローラと、その前送りローラにより送られる用紙を給紙する給紙ローラと、それら前送りローラ及び給紙ローラの下側に位置し、前記前送りローラ及び給紙ローラの間の所定の位置に孔部が形成され、上下に回動可能なガイド板と、そのガイド板の下流側端部を回動可能に支持し、前記用紙の先端部を止めるために、前記孔部に対応する位置に取り付けられたストップ板を有する支持板と、前記ガイド板を前記支持板から離れる方向に付勢する付勢手段と、前記ガイド板に連結され、前記付勢手段の付勢力に抗して前記ガイド板を押し下げるための押し下げレバーとを備えた、手差しのバイパス給紙装置であって、
前記押し下げレバーによって前記ガイド板が実質上鉛直下方方向に押し下げられたときに、前記ガイド板に形成された孔部から前記ストップ板の少なくとも一部が実質上鉛直上方方向に突出し、
前記支持板に載置された用紙の先端部が、前記突出したストップ板に当たる
ことを特徴とする手差しバイパス給紙装置。
【請求項２】
前記押し下げレバーは、用紙の挿入する方向を基準として、左側の手前
側方向に突出していることを特徴とする請求項１記載の手差しバイパス給紙装置。
【発明の詳細な説明】
【０００１】
【産業上の利用分野】
本発明は、複写機などの画像形成装置に設けられる手差し給紙用の、特に複数枚のコピー用紙を載置可能なバイパス給紙装置に関するものである。
【０００２】
【従来の技術】
一般に、画像形成装置である複写機には、複写機本体に供給する用紙を複数枚重ねて載置できる給紙カセットが装着されており、又、その給紙カセット装着部の上部などには、使用する頻度が少ないため、普段給紙カセットにセットしていないサイズの用紙を手差し給紙するためのバイパス給紙装置が設けられている。通常、このバイパス給紙装置は、用紙トレイを手前側へ倒すことにより使用可能となり、用紙を１枚毎に載置して給紙する構造のものが用いられるが、中には複数枚重ねて載置できる構成のバイパス給紙装置も用いられる。
【０００３】
複数枚の用紙を載置可能なバイパス給紙装置は、例えば、給紙トレイが倒されると、その給紙トレイに連動するリミットスイッチが働き、用紙を送り出すための前送りローラを、ソレノイド、クラッチなどにより構成された機構部を動作させて上に持ち上げ、前送りローラと、その下側のガイド板との間に隙間をつくり、複数枚の用紙が入るようにする。それと同時に、用紙が入り込みすぎないようにするために、前送りローラの下流側（奥側、給紙ローラよりは上流側）には、ストップ板が突出する構成となっている。
【０００４】
以上のようなバイパス給紙装置に用紙が載置されると、前送りローラ手前に設けられた光センサが用紙載置を検知し、その検知信号によって、ソレノイド、クラッチ等が元の状態に復帰され、前送りローラ及びストップ板が元の位置へ下げられ、用紙を送り出せる状態になる。
【０００５】
【発明が解決しようとする課題】
しかしながら、上記のようなバイパス給紙装置では、ソレノイド、クラッチ等のサイズの大きな機構部を用いているため、そのような機構部を設置するために大きなスペースが必要であり、又、コストがアップするという課題がある。
【０００６】
本発明は、従来のバイパス給紙装置のこのような課題を考慮し、大きな設置スペースを必要とせず、コストの上昇が少ないバイパス給紙装置を提供することを目的とするものである。
【０００７】
【課題を解決するための手段】
本発明は、用紙を前に送り出す前送りローラと、その前送りローラにより送られる用紙を給紙する給紙ローラと、それら前送りローラ及び給紙ローラの下側に位置し、前送りローラ及び給紙ローラの間の所定の位置に孔部が形成され、上下に回動可能なガイド板と、そのガイド板の下流側端部を回動可能に支持し、用紙の先端部を止めるために、孔部に対応する位置に取り付けられたストップ板を有する支持板と、ガイド板を支持板から離れる方向に付勢する付勢手段と、ガイド板に連結され、付勢手段の付勢力に抗してガイド板を押し下げるための押し下げレバーとを備えた、手差しのバイパス給紙装置であって、
押し下げレバーによってガイド板が実質上鉛直下方方向に押し下げられたときに、ガイド板に形成された孔部からストップ板の少なくとも一部が実質上鉛直上方方向に突出し、
突出したストップ板は、支持板に載置された用紙の位置を規制する
ことを特徴とする手差しバイパス給紙装置である。
【０００８】
【作用】
本発明は、押し下げレバーを押し下げることにより、付勢手段の付勢力に抗してガイド板を下に押し下げると、前送りローラとガイド板との間に隙間ができて複数枚の用紙を載せることが可能となり、また、ストップ板がガイド板に形成された孔部から突き出て、用紙が奥に入り込み過ぎないように、その先端部を止める。
【０００９】
【実施例】
以下に、本発明をその実施例を示す図面に基づいて説明する。
【００１０】
図１は、本発明にかかる一実施例のバイパス給紙装置を備えた複写機の一部を示す構成図である。すなわち、複写機は、上部の光学ユニット１０及び下部の下側機械部２０から構成され、光学ユニット１０には、原稿の光画像を作像させるためのレンズ１２、ミラー１３等が設けられ、外部上側には原稿を抑えるための原稿押えカバー１１が開閉自在に取り付けられている。
【００１１】
一方、下側機械部２０には、レンズ１２により作像された光画像から静電潜像を形成する感光体ドラム２１が中央付近に設けられ、その感光体ドラム２１の近傍には、静電潜像からトナー画像を形成させるための現像ユニット２２等が設けられている。又、下側機械部２０の右横側（図面上）には、用紙を供給するために、上給紙カセット２６ａ及び下給紙カセット２６ｂが装着され、それらの上下給紙カセット２６ａ，２６ｂの前側（給紙方向に対して）上部には、それぞれ用紙を送り出すためのピックアップローラ２５ａ，２５ｂが設けられている。ピックアップローラ２５ａの下流側には、用紙を搬送するための搬送ローラ２４ｂが設けられ、その搬送ローラ２４ｂからの用紙の搬送路及び下給紙カセット２６ｂのピックアップローラ２５ｂからの用紙の搬送路の合流部位には、用紙をタイミングをとって送り出すためのレジストローラ２３が配設され、更に下流側には搬送ローラ２４ｃが配設されている。
【００１２】
前述の上給紙カセット２６ａの上側には、手差し給紙を行うためのバイパス給紙装置が設けられている。このバイパス給紙装置の構成を図２及び図３に示す。図２及び図３において、バイパス給紙装置には、複写機の本体フレームに固定された支持板４が設けられ、その支持板４の下流側端部に連結部７を介してガイド板３が上下に回動可能なように取り付けられている。ガイド板３は、前送りローラ１及び給紙ローラ２ａの下側に位置し、そのガイド板３の前送りローラ１と給紙ローラ２ａとの間には、図２に示すように、２箇所の孔部３１が形成されている。又、支持板４には、ガイド板３の孔部３１に対応する位置にストップ板４１が取り付けられ、ガイド板３が押し下げられた場合は、ストップ板４１が孔部３１から突き出る状態になる。
【００１３】
ガイド板３と支持板４との間には、ガイド板３を上に開く方向（ガイド板３が支持板４から離れる方向）に付勢するバネ５が設けられ、又、ガイド板３の片側には、ガイド板３を手動で押し下げるための押し下げレバー６が取り付けられている。この押し下げレバー６は、一端部がガイド板３に連結されたレバーロッド部６１及び手で押さえる操作を行うためのレバー操作部６２から構成されている。又、用紙を挿入する方向を基準として、左の手前側へ突出している。それによって、用紙を挿入載置する際、右手で用紙を持ち左手でレバーを押し下げる動作がしやすくなる。又、給紙ローラ２ａの下側には、用紙の重送を防止するための重送防止ローラ２ｂが配設され、前送りローラ１の手前には、用紙の有無を検出するための光センサ２７が取り付けられ、更に、複写機の外側には、用紙を載置するための用紙トレイ２８が設けられている。ガイド板３には、重送防止ローラ２ｂが給紙ローラ２ａと当接できるように、開口部３２が形成され、又、光センサ２７の先端部２７ａが入り込む孔部３３が形成されている。
【００１４】
次に、上記実施例のバイパス給紙装置の動作について、図面を参照しながら説明する。
【００１５】
まず、通常の状態では、図４（ａ）に示すように、バネ５の付勢力によってガイド板３は上方に開き、ガイド板３が前送りローラ１に当接している。このとき、支持板４に設けられたストップ板４１の上端部は、ガイド板３より下側に位置し、ガイド板３に形成されている孔部３１から突出していない。用紙挿入側からみた様子を図５（ａ）に示す。
【００１６】
次に、複数枚の用紙を重ねて載置する場合は、複写機を手差し給紙状態にし、レバー操作部６２を矢印の方向に手で押し下げる。そうすると、図４（ａ）に示すように、レバーロッド部６１を介してガイド板３が押し下げられ、ガイド板３と前送りローラ１との間に隙間ができ、ストップ板４１の上一部が孔部３１を貫通して突出する。このとき、バネ５は押さえられた状態であり、又、重送防止ローラ２ｂは、ガイド板３に開口部３２が設けられているので、邪魔されることなくその中を通過する。押し下げた状態を用紙挿入側から見た様子を図５（ｂ）に示す。
【００１７】
続いて、ガイド板３を押し下げたまま、用紙１００を先端部がストップ板４１に当たるまで挿入してガイド板３上に載置し、レバー操作部６２を押すのをやめる。そうすると、バネ５の付勢力によってガイド板３が押し戻され、すなわち、上に押し上げられる。このとき、ガイド板３上には用紙１００が載置されているので、用紙１００の上面が前送りローラ１に当接する位置までガイド板３が戻る。又、このとき、ストップ板４１の上端部はガイド板３の下側にきて用紙搬送の邪魔にならない状態となる。
【００１８】
以上のようにして、用紙１００が載置された後は、通常のバイパス給紙と同様にスタートボタンを操作すれば、前送りローラ１が用紙を給紙ローラ２ａ側へ送り、更に、給紙ローラ２ａが重送防止ローラ２ｂにより重送を防止しながら用紙を上流側へ給紙する。
【００１９】
なお、上記実施例では、付勢手段にバネ５を用いたが、これに限らず、ガイド板３を支持板４から離す方向に付勢できれば、例えばゴム等の弾性部材、空気バネ等を用いてもよい。
【００２０】
また、上記実施例では、押し下げレバー６のレバーロッド部６１がガイド板３と一体構造のように図示したが、これに限らず、レバー操作部６２を押し下げたとき、ガイド板３が押し下げられる構成であれば、例えばギア、ボルト等による連結などを用いた構成であってもよい。
【００２１】
また、押し下げレバーは、上記実施例では手前側へ突出していたが、本体の左側など他の方向へ突出していてもよい。
【００２２】
【発明の効果】
以上述べたところから明らかなように本発明は、前送りローラ及び給紙ローラの下側に位置し、前送りローラ及び給紙ローラの間の所定の位置に孔部が形成され、上下に回動可能なガイド板と、そのガイド板の下流側端部を回動可能に支持し、用紙の先端部を止めるために、孔部に対応する位置に取り付けられたストップ板を有する支持板と、ガイド板を支持板から離れる方向に付勢する付勢手段と、ガイド板に連結され、付勢手段の付勢力に抗してガイド板を押し下げるための押し下げレバーとを備えているので、大きな設置スペースを必要とせず、コストの上昇が少ないという長所を有する。
【図面の簡単な説明】
【図１】本発明にかかる一実施例のバイパス給紙装置を備えた複写機の一部を示す構成図である。
【図２】同実施例のバイパス給紙装置の略示斜視図である。
【図３】同実施例のバイパス給紙装置の構成を示す略示側面図である。
【図４】同図（ａ）は、同実施例における用紙載置前の状態を示す略示断面図、同図（ｂ）は、同実施例における押し下げレバーを押し下げた状態を示す略示断面図である。
【図５】同図（ａ）は、同実施例における用紙載置前の状態を示す略示正面図、同図（ｂ）は、同実施例における押し下げレバーを押し下げた状態を示す略示正面図である。
【符号の説明】
１      前送りローラ
２ａ    給紙ローラ
２ｂ    重送防止ローラ
３      ガイド板
４      支持板
５      バネ
６      押し下げレバー
１０    光学ユニット
２１    感光体ドラム
２３    レジストローラ
２６ａ  上給紙カセット
２６ｂ  下給紙カセット
３１    孔部
４１    ストップ板
１００  用紙
【図１】
0003593139.tif 000002
【図２】
0003593139.tif 000003
【図３】
0003593139.tif 000004
【図４】
0003593139.tif 000005
【図５】
0003593139.tif 000006